(57)【要約】      （修正有）【課題】収納庫におけるスライド扉を開けた際にスライド扉が脱輪することが防止されるスライド扉脱輪防止構造を提供する。【解決手段】スライド扉脱輪防止構造１０は、下側開口縁部に設けられた突条の下側レール部９７と、上側開口縁部に設けられた凹溝状の上側レール部とを有する枠体９と、上端が上側レール部に挿入される板状の扉本体部１１１と、扉本体部１１１の下端に設けられ下側レール部９７上に載せられる戸車１３とを有し、幅方向に沿ってスライド移動して開閉するスライド扉１１と、スライド扉１１を開ける際にスライド扉１１が進む方向にある下側レール部９７の端部に設けられる下側ストッパ４０と、スライド扉１１の進む方向にある上側レール部９１の端部に、スライド扉１１を開けた際に下側ストッパ４０よりも先にスライド扉１１と当接するように、下側ストッパ４０よりもスライド扉１１側にはみ出す形で設けられる上側ストッパ３０とを備える。【選択図】図１０
2016200286.tif 000002
【特許請求の範囲】
【請求項１】
前側に開口した箱状をなし、収納物を収納する収納室と、
前記収納室の開口縁部のうち下側にある下側開口縁部に設けられ前記収納室の幅方向に延びる突条の下側レール部と、前記開口縁部のうち上側にある上側開口縁部に設けられ前記幅方向に延びた凹溝状の上側レール部とを有し、前記開口縁部に沿う形で設けられる枠体と、
上端が前記上側レール部に挿入される板状の扉本体部と、前記扉本体部の下端に設けられ前記下側レール部上に載せられる戸車とを有し、前記幅方向に沿ってスライド移動して開閉するスライド扉と、
前記スライド扉を開ける際に前記スライド扉が進む方向にある前記下側レール部の端部に設けられる下側ストッパと、
前記スライド扉の前記進む方向にある前記上側レール部の端部に、前記スライド扉を開けた際に前記下側ストッパよりも先に前記スライド扉と当接するように、前記下側ストッパよりも前記スライド扉側にはみ出す形で設けられる上側ストッパとを備えるスライド扉脱輪防止構造。
【請求項２】
前記上側ストッパは、弾性体からなる請求項１に記載のスライド扉脱輪防止構造。
【請求項３】
前記スライド扉が閉められた状態で、又は前記スライド扉が開けられた状態で、前記スライド扉が前記枠体から外れないように、前記スライド扉と前記上側レール部との間に形成される隙間に挿入され、弾性体からなる規制部材を備える請求項１又は請求項２に記載のスライド扉脱輪防止構造。
【発明の詳細な説明】
【技術分野】
【０００１】
本発明は、ショーケース等の収納庫におけるスライド扉脱輪防止構造に関する。
【背景技術】
【０００２】
食料品店等において、食料品や飲料品等の収納物を冷蔵状態で収納するショーケース等の収納庫が利用されている。この種の収納庫は、前側に開口した断熱箱体の内側に形成される箱状の収納室を備えている。収納室の開口縁部には、枠体が設けられており、その枠体を利用して収納室の出入口を開閉するためのスライド扉（引き戸）が、スライド自在な状態で支持されている（特許文献１，２参照）。
【０００３】
スライド扉の下端には、特許文献１に示されるように、左右方向に並ぶ形で２つの戸車が設けられている。それらの戸車は、枠体の下側部分に設けられている突条レール上にスライド自在な状態で載せられている。また、スライド扉の上端は、枠体の上側部分に設けられている下方に開口した凹溝状レール内にスライド自在な状態で挿入されている。なお、上下方向において、スライド扉の上端と凹溝状レールとの間には、スライド扉を枠体に着脱する際等に利用される隙間が形成されている。
【０００４】
このようなスライド扉を左右方向にスライド移動させて収納室の出入口を開状態とする場合に、スライド扉の側端部が、勢い余って枠体の側端部と衝突することがある。その場合、スライド扉や枠体には、大きな衝撃が加わり、スライド扉や枠体が破損する虞があった。そのため、このような衝撃を緩和するために、凹溝状レールの終端及び突条レールの終端には、それぞれ弾性体からなり、スライド扉の側端部との接触を緩和する上側ストッパ及び下側ストッパが取り付けられている。なお、開状態となるようにスライド扉をスライド移動させた際に、スライド扉の側端部の上下端は、それぞれ上側ストッパ及び下側ストッパと略同時に当接することになる。
【先行技術文献】
【特許文献】
【０００５】
【特許文献１】実開平７−１６６６１号公報
【特許文献２】特開２０００−２５７３２２号公報
【発明の概要】
【発明が解決しようとする課題】
【０００６】
ところで、この種の収納庫では、収納物の重さ等の影響により、収納室を構成する断熱箱体の底部や突条レールが沈下して歪むことがあった。その際、特に、底部の中央側が左右両側よりも大きく下がるように歪みが生じるため、スライド扉は、収納室の端側に配される一方の側端部よりも、収納室の中央側に配される他方の側端部の方が下がるように傾いた状態となる。
【０００７】
このような歪みが収納庫に生じている場合に、収納室の出入口が開状態となるように、傾いた状態のスライド扉が枠体の側端部に向かってスライド移動すると、スライド扉の一方の側端部のうち、下端側が先に下側ストッパと当接することになる。その際、スライド扉は、下側ストッパと当接した前記側端部の下端側を支点としつつ、他方の側端部の下端側が浮き上がるように勢い余って回転移動することになる。そのため、スライド扉の戸車が突条レールから脱輪する虞があった。
【０００８】
戸車が脱輪した状態で、スライド扉をスライド移動させようとすると、戸車やスライド扉の側端部に設けられている取っ手部等に大きな負荷が加えられ、戸車や取っ手部等が破損する虞があった。
【０００９】
本発明の目的は、収納庫におけるスライド扉を開けた際にスライド扉が脱輪することが防止されるスライド扉脱輪防止構造を提供することである。
【課題を解決するための手段】
【００１０】
本発明に係るスライド扉脱輪防止構造は、前側に開口した箱状をなし、収納物を収納する収納室と、前記収納室の開口縁部のうち下側にある下側開口縁部に設けられ前記収納室の幅方向に延びる突条の下側レール部と、前記開口縁部のうち上側にある上側開口縁部に設けられ前記幅方向に延びた凹溝状の上側レール部とを有し、前記開口縁部に沿う形で設けられる枠体と、上端が前記上側レール部に挿入される板状の扉本体部と、前記扉本体部の下端に設けられ前記下側レール部上に載せられる戸車とを有し、前記幅方向に沿ってスライド移動して開閉するスライド扉と、前記スライド扉を開ける際に前記スライド扉が進む方向にある前記下側レール部の端部に設けられる下側ストッパと、前記スライド扉の前記進む方向にある前記上側レール部の端部に、前記スライド扉を開けた際に前記下側ストッパよりも先に前記スライド扉と当接するように、前記下側ストッパよりも前記スライド扉側にはみ出す形で設けられる上側ストッパとを備える。
【００１１】
前記スライド扉脱輪防止構造において、前記上側ストッパは、弾性体からなるものが好ましい。上側ストッパが弾性体からなると、スライド扉と当接した際に衝撃を吸収し易い。
【００１２】
前記スライド扉脱輪防止構造において、前記スライド扉が閉められた状態で、又は前記スライド扉が開けられた状態で、前記スライド扉が前記枠体から外れないように、前記スライド扉と前記上側レール部との間に形成される隙間に挿入され、弾性体からなる規制部材を備えるものであってもよい。
【発明の効果】
【００１３】
本発明によれば、収納庫におけるスライド扉を開けた際にスライド扉が脱輪することが防止されるスライド扉脱輪防止構造を提供することができる。
【図面の簡単な説明】
【００１４】
【図１】本発明の実施形態１に係るショーケースの正面図
【図２】図１に示されるショーケースの前側部分を切断した断面図
【図３】図１のＡ−Ａ線断面図
【図４】図１のＢ−Ｂ線断面図
【図５】後側から見た上側ストッパの斜視図
【図６】上側ストッパの正面図
【図７】上側ストッパの左側面図
【図８】図２に示される左スライド扉用の上側ストッパの拡大断面図
【図９】図２に示される左スライド扉用の下側ストッパの拡大断面図
【図１０】図２に示される閉状態の左スライド扉をスライド移動させて開状態にしたショーケースの断面図
【図１１】図１０に示される左スライド扉用の上側ストッパの拡大断面図
【図１２】図１０に示される左スライド扉用の下側ストッパの拡大断面図
【図１３】実施形態２のショーケースの前側部分を切断した断面図
【図１４】図１３のＣ−Ｃ線の位置に対応するショーケースの断面図
【発明を実施するための形態】
【００１５】
＜実施形態１＞
以下、本発明の実施形態１を図１〜図１２を参照しつつ説明する。本実施形態では、収納庫の一例であるショーケース１のスライド扉脱輪防止構造１０について説明する。図１は、本発明の実施形態１に係るショーケース１の正面図であり、図２は、図１に示されるショーケース１の前側部分を切断した断面図である。なお、本明細書において、図１の紙面手前側をショーケース１の「前側」とし、紙面奥側をその「後側」とする。また、図１の左側を、ショーケース１の「左側」とし、図１の右側を、ショーケース１の「右側」とする。
【００１６】
ショーケース１は、食料品や飲料品等の収納物を冷蔵状態で収納して陳列するものであり、全体的には、縦長の直方体状の外観形状を備えている。このようなショーケース１は、前側に開口した断熱性の箱体からなる本体部２と、この本体部２の内部に形成され、内側で収納物を収納する前側に開口した箱状の収納室３とを備えている。
【００１７】
本体部２は、前側に開口した外箱と、この外箱との間に所定の間隔を保ちつつ外箱内に収納される形で組み付けられる内箱と、外箱と内箱との間にある間隔を充填する発泡ウレタン等の断熱材とを備えている。なお、外箱及び内箱は、ステンレス等の熱良導性金属板が箱状に組み立てられたものからなる。
【００１８】
収納室３は、本体部２の内部のうち、その大部分を占めるように形成される箱状の部分からなる。収納室３は、全体的には前側に開口した箱状をなし、本体部２内に収納される形で組み付けられている。収納室３を区画する天井板や底板等の壁面は、ステンレス等の熱良導性金属板からなる。
【００１９】
また、ショーケース１は、本体部２が載せられる箱状の枠組み等からなるシャーシ部４と、このシャーシ部４の底面の四隅に配され、シャーシ部４等を支える複数の脚部５とを備えている。なお、シャーシ部４の内側は、圧縮機や凝縮器等からなる冷凍装置が収容される機械室となっている。
【００２０】
箱体からなる本体部２の内部上方の部分６には、前記冷凍装置から冷媒が供給される冷気循環装置が配設されている。この冷気循環装置は、収納室３の天井部の上方に配されており、冷気循環装置により供給される冷気により、収納室３が冷却される。
【００２１】
収納室３の内部には、複数の棚柱７に差し渡される形で支持された棚８が、上下方向に複数個並ぶように設けられている。棚柱７は、収納室３の後側（奥側）にある背面部３ｂに取り付けられている。
【００２２】
本体部２の前側に配される開口縁部２ａの内側には、収納室３の開口縁部３ａが形成されている。開口縁部３ａは、収納室３の前端に配され、かつ前側を向くように開口した形をなしており、その内側の空間（孔部）が収納物の出入口として利用される。
【００２３】
開口縁部３ａは、上側に配される左右方向（収納室３の幅方向）に延びた上側開口縁部３ａ１と、下側に配される左右方向に延びた下側開口縁部３ａ２と、左側に配される上下方向に延びた左側開口縁部３ａ３と、右側に配される上下方向に延びた右側開口縁部３ａ４とからなる。このような開口縁部３ａの内周縁に沿うように、枠体９が取り付けられている。
【００２４】
枠体９は、全体的には、縦長の矩形状をなしており、金属加工品からなる。枠体９は、収納室３の開口縁部３ａのうち、上側開口縁部３ａ１に取り付けられる上枠部９ａと、下側開口縁部３ａ２に取り付けられる下枠部９ｂと、左側開口縁部３ａ３に取り付けられる左枠部９ｃと、右側開口縁部３ａ４に取り付けられる右枠部９ｄとからなる。
【００２５】
上枠部９ａ及び下枠部９ｂは、全体的には、開口縁部３ａ（上側開口縁部３ａ１及び下側開口縁部３ａ２）の左右方向に沿って形成される長手状の部材からなる。上枠部９ａ及び下枠部９ｂは、上下方向で互いに間隔を保ちつつ左右方向に沿って平行に並ぶ形で開口縁部３ａに取り付けられている。
【００２６】
また、左枠部９ｃ及び右枠部９ｄは、全体的には、開口縁部３ａ（左側開口縁部３ａ３及び右側開口縁部３ａ４）の上下方向に沿って形成される長手状の部材からなる。左枠部９ｃ及び右枠部９ｄは、左右方向で互いに間隔を保ちつつ上下方向に沿って平行に並ぶ形で開口縁部３ａに取り付けられている。
【００２７】
このような枠体９の上枠部９ａと下枠部９ｂとの間には、左右一対のスライド扉１１，１１が、それぞれ左右方向にスライド移動できるように取り付けられている。開口縁部３ａの内側からなる収納室３の出入口は、これらのスライド扉１１，１１によって開閉される。なお、本明細書において、左側のスライド扉１１を、「左スライド扉１１ａ」と称し、右側のスライド扉１１を、「右スライド扉１１ｂ」と称する場合がある。
【００２８】
左スライド扉１１ａ及び右スライド扉１１ｂは、左スライド扉１１ａが奥側に配され、かつ右スライド扉１１ｂが前側に配されるように、上枠部９ａと下枠部９ｂとの間に取り付けられている。左スライド扉１１ａ及び右スライド扉１１ｂは、互いに平行に並ぶ形で、それぞれ左右方向にスライド移動する。
【００２９】
図３は、図１のＡ−Ａ線断面図である。図３には、上枠部９ａ及びスライド扉１１の上端部１２の構成が模式的に示されている。上枠部９ａには、図３に示されるように、断面が下方に開口した凹溝状（略コの字状）の２つの案内溝（上側レール部）９１，９１（９１ａ，９１ｂ）が、前後方向で隣接しつつ左右方向に延びる形で設けられている。奥側に配される案内溝９１ａには、左スライド扉１１ａの上端部１２が挿入され、前側に配される案内溝９１ｂには、右スライド扉１１ｂの上端部１２が挿入される。スライド扉１１，１１の各上端部１２，１２は、各案内溝９１ａ，９１ｂに沿って左右方向にスライド移動することができる。
【００３０】
上枠部９ａは、左右方向に延びつつ水平に配される板状の上枠天板部９２と、この上枠天板部９２の奥側に配される左右方向に延びた縁部から下方に向かう板状の上枠奥側壁部９３と、上枠天板部９２の前側に配される左右方向に延びた縁部から下方に向かう板状の上枠前側壁部９４と、上枠奥側壁部９３と上枠前側壁部９４との間に配されるように、上枠天板部９２から下方に向かう上枠中間壁部９５とを備えている。
【００３１】
奥側の案内溝（上側レール部）９１ａは、上枠天板部９２、上枠奥側壁部９３及び上枠中間壁部９５によって構成される。また、前側の案内溝（上側レール部）９１ｂは、上枠天板部９２、上枠前側壁部９４及び上枠中間壁部９５によって構成される。
【００３２】
図３に示されるように、スライド扉１１と上枠部９ａの上枠天板部９２との間には、隙間が確保されている。なお、後述するように、奥側の案内溝（上側レール部）９１ａの右側の端部には、上側ストッパ３０が配設されている。
【００３３】
図４は、図１のＢ−Ｂ線断面図である。図４には、下枠部９ｂ及びスライド扉１１の下端部の構成が模式的に示されている。なお、説明の便宜上、図４には、Ｂ−Ｂ線以外の切断線により切断された断面構造が一部示されている。下枠部９ｂは、図４に示されるように、左右方向に延びつつ水平に配される板状の下枠底板部９６と、この下枠底板部９６の上面に形成され、前後で離間しつつ互いに平行に並ぶ形で左右方向に延びた２本の突条レール部（下側レール部）９７，９７（９７ａ，９７ｂ）とを備えている。
【００３４】
なお、下枠底板部９６には、奥側の突条レール部９７ａと前側の突条レール部９７ｂとの間に配されるように、左右方向に延びた下枠中間立壁部９８ａが立設されている。また、下枠底板部９６には、奥側の突条レール部９７ａよりも更に奥側に配されるように、左右方向に延びた下枠奥側立壁部９８ｂが立設されている。また、下枠底板部９６には、前側の９７ｂよりも更に前側に配されるように、左右方向に延びた下枠前側立壁部９８ｃが立設されている。なお、後述するように、奥側の突条レール部９７ａにおける右側の端部には、下側ストッパ４０が配設されている。
【００３５】
スライド扉１１の下端には、戸車１３が設けられている。戸車１３は、車輪１３ａと、車輪１３ａを回転自在な状態で軸支しつつ、スライド扉１１の扉本体部１１１の下端に固定される軸支部１３ｂとを備えている。戸車１３の軸支部１３ｂは、扉本体部１１１の下端に対してビス１３ｃを利用して固定されている。なお、戸車１３は、扉本体部１１１の下端（後述する枠部材１１３）に延設されたカバー部材１４で覆われている。戸車１３は、１つのスライド扉１１に対して、左右方向に並ぶように、左右両端側にそれぞれ１つずつ設けられている。
【００３６】
下枠部９ｂが備える２本の突条レール部（下側レール部）９７ａ，９７ｂには、それぞれスライド扉１１の下端に設けられた戸車１３の車輪１３ａが載せられる。各スライド扉１１，１１は、戸車１３が突条レール部９７ａ，９７ｂに載せられる形で、下枠部９ｂによって左右方向にスライド移動できるように支持される。なお、奥側の突条レール部９７ａには、左スライド扉１１ａの戸車１３が載せられ、前側の突条レール部９７ｂには、右スライド扉１１ｂの戸車１３が載せられる。
【００３７】
スライド扉１１の扉本体部１１１は、上端部が案内溝９１に挿入される板状をなしている。扉本体部１１１は、ガラスやアクリル系樹脂等から形成される透明板１１２や、その平板材の周りを取り囲む囲む合成樹脂製の枠部材１１３等から構成される。利用者は、スライド扉１１の扉本体部１１１（透明板１１２）越しに、収納室３内の状態を確認することができる。なお、本実施形態の場合、スライド扉１１の上端部１２は、扉本体部１１１の上端部からなる。
【００３８】
なお、左スライド扉１１ａの前面の左端側及び右スライド扉１１ｂの前面の右端側には、それぞれ各スライド扉１１，１１をスライド移動させるために利用者の手が掛けられる取っ手部１１４，１１４が取り付けられている。この取っ手部１１４は、合成樹脂製であり、透明板１１２の表面に貼り付けられている。
【００３９】
下枠部９ｂの下枠底板部９６には、スライド扉１１の結露水を収納室３へ排出するための貫通孔状の排水口（不図示）が形成されている。この排水口には、シャーシ部４内に配設されているドレインパイプが接続されており、下枠部９ｂに流れ込んだ結露水がドレインパイプ等を介して収納室３の外側に排出される。
【００４０】
収納室３の出入口（開口縁部３ａの内側）は、２つのスライド扉１１，１１を利用して開閉される。図１には、閉状態の左スライド扉１１ａ及び右スライド扉１１ｂが示されている。なお、図２には、閉状態の左スライド扉１１ａのみが示されている。
【００４１】
左スライド扉１１ａが閉状態の場合、左スライド扉１１ａの左側端部１１ａ１が、枠体９の左枠部９ｃと当接している。その場合の左スライド扉１１ａの右側端部１１ａ２は、左右方向（幅方向）における収納室３の中央側に配されている。
【００４２】
右スライド扉１１ｂが閉状態の場合、右スライド扉１１ｂの右側端部１１ｂ１が、枠体９の右枠部９ｄと当接している。その場合の右スライド扉１１ｂの左側端部１１ｂ２は、左右方向（幅方向）における収納室３の中央側に配されている。なお、閉状態における右スライド扉１１ｂの左側端部１１ｂ２と、閉状態の左スライド扉１１ａの右側端部１１ａ２とは互いに前後方向で重なっている。
【００４３】
また、閉状態の左スライド扉１１ａが開けられる場合（つまり、左スライド扉１１ａを開状態とする場合）、右側端部１１ａ２が枠体９の右枠部９ｄ側に近付くように左スライド扉１１ａがスライド移動する。また、閉状態の右スライド扉１１ｂが開けられる場合（つまり、右スライド扉１１ｂを開状態とする場合）、左側端部１１ａ１が枠体９の左枠部９ｃ側に近付くように左スライド扉１１ｂがスライド移動する。
【００４４】
本実施形態のショーケース１（スライド扉脱輪防止構造１０）は、左スライド扉１１ａが開けられる際に、左スライド扉１１ａの右側端部１１ａ２と右枠部９ｄとの衝突が緩和され、かつ戸車１３が突条レール部（下側レール部）９７ａから脱輪することを防止するための上側ストッパ３０及び下側ストッパ４０を備えている。また、同様の上側ストッパ３０及び下側ストッパ４０が、右スライド扉１１ｂのためにも設けられている。左スライド扉１１ａ用の上側ストッパ３０及び下側ストッパ４０と、右スライド扉１１ｂ用の上側ストッパ３０及び下側ストッパ４０とは、基本的に同じ構成である。そのため、本明細書では、左スライド扉１１ａ用の上側ストッパ３０及び下側ストッパ４０を例に挙げて説明する。
【００４５】
図５は、後側から見た上側ストッパ３０の斜視図であり、図６は、上側ストッパ３０の正面図であり、図７は、上側ストッパ３０の左側面図である。上側ストッパ３０は、ゴムやエラストマー等の弾性体からなり、左右方向（収納室３の幅方向）に延びた上枠部９ａのうち、右側の端部に取り付けられる。上側ストッパ３０は、上下方向に延びた右側端部１１ａ２の上端と当接する当接部３１と、この当接部３１を保持する保持部３２とを備えている。当接部３１と保持部３２とは、互いに接着剤等を利用して固定されている。
【００４６】
保持部３２は、上側ストッパ３０の取付時に、前側の案内溝（上側レール部）９１ａに挿し込まれる前側保持部３２ａと、後側の案内溝（上側レール部）９１ｂに挿し込まれる後側保持部３２ｂと、前側保持部３２ａと後側保持部３２ｂとを繋ぐ連結保持部３２ｃとを備えている。前側保持部３２ａと後側保持部３２ｂとの間には、上側ストッパ３０の取付時に、上枠部９ａの上枠中間壁部９５が挿入される隙間３２ｄが設けられている。
【００４７】
当接部３１は、後側保持部３２ｂの左端面に取り付けられている。当接部３１は、上部側が下部側よりも太くなるように設定されている。案内溝９１ａの内部には、当接部３１の上部と下部との間にある段差部３１ａと係止するための係止部９９ａ，９９ｂが設けられている。係止部９９ａは、案内溝９１ａを構成する上枠奥側壁部９３に設けられ、係止部９９ｂは、案内溝９１ａを構成する上枠中間壁部９５に設けられる。なお、保持部３２の後側保持部３２ｂも、当接部３１と同様、上部側が下部側よりも太くなるように設定されており、後側保持部３２ｂにも、係止部９９ａ，９９ｂに係止される段差部３２ｂ１が設けられている。
【００４８】
また、前側の案内溝９１ｂを構成する上枠前側壁部９４と、上枠中間壁部９５には、それぞれ係止部９９ｃ，９９ｄが設けられている。これらの係止部９９ｃ，９９ｄは、案内溝突条レール部９１ｂに挿入された前側保持部３２ａの下端と係止する。
【００４９】
図６に示されるように、上側ストッパ３０の左右方向の長さＬ１は、当接部３１の左右方向の長さＬ１１と、保持部３２の左右方向の長さＬ１２とを合せたものからなる。本実施形態の場合、後側保持部３２ｂの左右方向の長さと、前側保持部３２ａの左右方向の長さは同じであり、共に長さＬ１２に設定されている。
【００５０】
また、図６に示されるように、当接部３１の上下方向の長さＨ１は、後側保持部３２ｂの上下方向の長さと同じであり、前側保持部３２ａの上下方向の長さＨ２よりも長くなるように設定されている。
【００５１】
上側ストッパ３０は、隙間３２ｄに上枠中間壁部９５の端部が挿入されつつ、当接部３１及び後側保持部３２ｂが奥側の案内溝９１ａに挿入され、かつ前側保持部３２ａが前側の案内溝９１ｂに挿入される形で、上枠部９ａに取り付けられる。
【００５２】
当接部３１の上下方向の長さＨ１は、当接部３１が案内溝９１ａに装着された状態で、左スライド扉１１ａの上端部１２と左右方向で重なるように設定されている（図３参照）。そのため、当接部３１は、右枠部９ｄに近付くようにスライド移動する左スライド扉１１ａの右側端部１１ａ２と当接することができる。
【００５３】
なお、前側保持部３２ａの上下方向の長さＨ２は、前側保持部３２ａが前側の案内溝９１ｂに装着された際に、スライド移動する右スライド扉１１ｂの上端部１２と干渉しないように、設定されている。図３に示されるように、右スライド扉１１ｂの上端部１２と上側ストッパ３０の前側保持部３２ａとの間には、上下方向において隙間が確保されている。
【００５４】
図８は、図２に示される左スライド扉１１ａ用の上側ストッパ３０の拡大断面図である。図８に示されるように、上側ストッパ３０の右端面（連結保持部３２ｃの右端面）は、上下方向に延びた右枠部９ｄに接触している。
【００５５】
図９は、図２に示される左スライド扉１１ａ用の下側ストッパ４０の拡大断面図である。下側ストッパ４０は、上述した上側ストッパ３０と同様の弾性体からなり、左右方向（収納室３の幅方向）に延びた下枠部９ｂのうち、奥側の突条レール部９７ａにおける右側の端部に取り付けられる。下側ストッパ４０は、全体的には、左右方向に延びた直方体状をなしている。
【００５６】
図４に示されるように、下側ストッパ４０は、下枠底板部９６、下枠奥側立壁部９８ｂ
及び下枠中間立壁部９８ａにより形成される上方に開口した凹溝状の部分に挿入されている。前記凹溝状の部分に挿入された状態の下側ストッパ４０は、突条部９７ａと接触する部分が弾性変形し、突条レール部９７ａを前後方向で跨ぐような形となっている。
【００５７】
このように突条レール部９７ａの端部に取り付けられた下側ストッパ４０は、左スライド扉１１ａの下端部と、左右方向で重なることになる（図４参照）。なお、図９に示されるように、下側ストッパ４０の右端面は、上述した上側ストッパ３０と同様、上下方向に延びた右枠部９ｄと接触している。また、下側ストッパ４０の左右方向の長さＬ２は、上側ストッパ３０における保持部３２の左右方向の長さＬ１２と同じに設定されている。
【００５８】
つまり、上述した上側ストッパ３０は、下側ストッパ４０よりも、当接部３１の長さＬ１１分だけ、左スライド扉１１ａ側にはみ出した形となっている。
【００５９】
このようなショーケース１（スライド扉脱輪防止構造１０）において、閉状態の左スライド扉１１ａ（図２参照）を、右枠部９ｄに近付くように右側にスライド移動させると、最終的には、左スライド扉１１ａの右側端部１１ａ２が、下側ストッパ４０よりも先に、上側ストッパ３０に当たることになる。
【００６０】
図１０は、図２に示される閉状態の左スライド扉１１ａをスライド移動させて開状態にしたショーケース１の断面図であり、図１１は、図１０に示される左スライド扉用の上側ストッパの拡大断面図であり、図１２は、図１０に示される左スライド扉用の下側ストッパの拡大断面図である。
【００６１】
図１０等に示されるショーケース１には、収納室３を構成する底板等に変形が生じていない。しかしながら、収納室３内に収納される収納物の条件（例えば、収納室３の底板上に大きな重量の収納物を載せた場合）によっては、収納室３の左右方向（幅方向）における底板の略中央部分が、両端部分よりも高さ位置が低くなるように変形することがある。そのような場合、左右方向に延びた突条レール部（下側レール部）９７ａ等も、略中央部分が両端部分よりも高さ位置が低くなるように変形する。
【００６２】
このように突条レール部（下側レール部）９７ａ等に変形が生じると、左スライド扉１１ａは、傾いた突条レール部９７ａに沿ってスライド移動することになる。なお、左スライド扉１１ａの上端部１２と上枠部９ａとの間には、上述したようにある程度の隙間が確保されているため、左スライド扉１１ａは、傾いた状態でも、突条レール部９７ａ及び案内溝９１ａに沿ってスライド移動することができる。
【００６３】
突条レール部９７ａに上記のような変形が生じている場合に、閉状態の左スライド扉１１ａを開状態にするために、右枠部９ｄに向かって進むように左スライド扉１１ａをスライド移動させると、左スライド扉１１ａの右側端部１１ａ２は、下側ストッパ４０よりも先に上側ストッパ３０（当接部３１）と当接する。
【００６４】
仮に、上側ストッパ３０から当接部３１を除いた場合（つまり、保持部３２のみからなる場合）、閉状態の左スライド扉１１ａを同じようにスライド移動させると、左スライド扉１１ａの右側端部１１ａ２は、先ず下側ストッパ４０と当たることになる。このように、右側端部１１ａ２が、当接部３１を除いた上側ストッパ３０よりも先に、下側ストッパ４０に当たると、左スライド扉１１ａは、下側ストッパ３０と当接した右側端部１１ａ２の下端側を支点としつつ、左側端部１１ａ１の下端側が浮き上がるように勢い余って時計回りに回転移動することになる。その際、左側端部１１ａ１の近くに配設されている戸車１３は、突条レール部９７ａから離れて浮き上がった状態となる。そして、左スライド扉１１ａの右側端部１１ａ２が上枠部９ａ等に当たる等して、逆向き（反時計回り）に回転移動した際に、浮き上がった戸車１３が突条レール部９７ａから外れて下枠部９ｂの下枠底板部９６等に着地してしまう虞がある。
【００６５】
しかしながら、本実施形態のショーケース１では、上述したように、上側ストッパ３０には、下側ストッパ４０よりも左スライド扉１１ａ側にはみ出した形で設けられており、突条レール部９７ａが上記のように変形した場合でも、右側端部１１ａ２が下側ストッパ４０よりも先に、又は下側ストッパ４０と略同時に、上側ストッパ３０と当たるように設定されている。
【００６６】
以上より、本実施形態のショーケース１（スライド扉脱輪防止構造１０）では、収納室３の底板等と共に突条レール部９７が変形しても、各スライド扉１１，１１（左スライド扉１１ａ，右スライド扉１１ｂ）が開けられる際に、戸車１３が突条レール部９７（９７ａ，９７ｂ）から脱輪することが防止される。
【００６７】
なお、右スライド扉１１ｂ用の上側ストッパでは、左右方向に延びた上枠部９ａのうち、左側の端部における前側の案内溝９１ｂ内に当接部が挿着される。また、右スライド扉１１ｂ用の下側ストッパは、左右方向に延びた下枠部９ｂのうち、左側の端部における前側の突条レール部９７ｂの端部に取り付けられる。
【００６８】
＜実施形態２＞
次いで、本発明の実施形態２を、図１３及び図１４を参照しつつ説明する。本実施形態のショーケース１Ａ（スライド扉脱輪防止構造１０Ａ）は、上記実施形態１のショーケース１（スライド扉脱輪防止構造１０）に、規制部材５０を取り付けたものである。そのため、実施形態１と同じ構成については、実施形態１と同じ符号を付しそれらの詳細説明は省略する。
【００６９】
図１３は、実施形態２のショーケース１Ａの前側部分を切断した断面図であり、図１４は、図１３のＣ−Ｃ線の位置に対応するショーケース１Ａの断面図である。図１３には、ショーケース１Ａを正面側から見た状態が示されている。なお、図１３には、閉状態の左スライド扉１１ａのみが示されている。
【００７０】
規制部材５０は、実施形態１の上側ストッパ３０等と同様の弾性体からなり、全体的には、収納室３の左右方向（幅方向）に沿って長く延びた角柱状をなしている。規制部材５０は、ショーケース１Ａの使用時や運搬時等において、スライド扉１１が浮き上がって戸車１３が脱輪することを防止するものである。
【００７１】
スライド扉１１が、実施形態１と同様、上枠部９ａと下枠部９ｂとの間に取り付けられた状態において、スライド扉１１の上端部１２と、上枠部９ａの上枠天板部９２との間には、ある程度の隙間が確保されている。そのため、ショーケース１Ａの運搬時や使用時等において、スライド扉１１が浮き上がって脱輪し、枠体９から外れてしまう場合もある。
【００７２】
このようにスライド扉１１が浮き上がって脱輪するのを防止するために、規制部材５０が、スライド扉１１の上端部１２と上枠部９ａの上枠天板部９２との間の隙間を上下方向で少なくするように、上枠部９ａの案内溝９１に取り付けられる。
【００７３】
例えば、左スライド扉１１ａの浮き上がり等を防止するためには、左スライド扉１１ａ用の奥側の案内溝９１ａに規制部材５０が取り付けられる。これに対し、右スライド扉１１ｂの浮き上がり等を防止するためには、右スライド扉１１ｂ用の前側の案内溝９１ｂに規制部材５０が取り付けられる。
【００７４】
左スライド扉１１ａ用の規制部材５０は、例えば、図１３に示されるように、左スライド扉１１ａが開けられた状態（開状態）で、上端部１２と上枠部９ａの上枠天板部９２との間の隙間を上下方向で少なくするように、取り付けられる。例えば、作業者がショーケース１Ａを運搬する際、ショーケース１Ａを持ちやすいように、一方のスライド扉として左スライド扉１１ａを開状態にする場合がある。このような開状態の左スライド扉１１ａの浮き上がり等を防止するために、図１３のように、左右方向に延びた上枠部９ａのうち、約右側半分の範囲に、規制部材５０が取り付けられる。
【００７５】
また、閉状態の左スライド扉１１ａの浮き上がり等を防止するためには、左右方向に延びた上枠部９ａのうち、約左側半分の範囲に、規制部材５０が取り付けられる。なお、右スライド扉１１ｂについても同様に、開状態又は閉状態に合わせて、規制部材５０を所定個所に取り付ければよい。
【００７６】
なお、規制部材５０が案内溝９１に取り付けられた状態において、規制部材５０の下端と、スライド扉１１の上端部１２との間には隙間がある。そのため、各スライド扉１１，１１は、規制部材５０が取り付けられた状態でも、左右方向におけるスライド移動が確保される。図１４に示されるように、左スライド扉１１ａ用の規制部材５０の下端は、案内溝９１ａに設けられている係止部９９ａ，９９ｂにより、上側ストッパ３０と同様、係止されている。
【００７７】
＜他の実施形態＞
本発明は上記記述及び図面によって説明した実施形態に限定されるものではなく、例えば次のような実施形態も本発明の技術的範囲に含まれる。
【００７８】
（１）上記実施形態１では、上側ストッパ３０の当接部３１及び保持部３２は、２部品に分かれていたが、本発明はこれに限られず、他の実施形態においては、例えば、当接部３１及び保持部３２が１部品で構成されてもよい。
【００７９】
（２）上記実施形態１では、上側ストッパ３０の当接部３１と、保持部３２とを同じ素材（弾性体）で構成したが、本発明の目的を損なわない限り、当接部３１と保持部３２とを互いに異なる素材で構成してもよい。例えば、スライド扉１１の側端部と直接、当たる当接部３１を弾性体で構成し、保持部３２をプラスチック等の剛性のある部材（非弾性体）で構成してもよい。
【００８０】
（３）上記実施形態１，２では、収納庫３としてショーケース１，１Ａを例示したが、本発明のスライド扉脱輪防止構造が適用される収納庫３はこれに限られず、例えば、冷蔵機能を備えていないショーケース等においても、適用可能である。
【符号の説明】
【００８１】
１，１Ａ…ショーケース（収納庫）、２…本体部、３…収納室、４…シャーシ部、５…脚部、７…棚柱、８…棚、９…枠体、９ａ…上枠部、９１，９１ａ，９１ｂ…案内溝（上側レール部）、９ｂ…下枠部、９７，９７ａ，９７ｂ…突条レール部（下側レール部）、９ｃ…左枠体、９ｄ…右枠体、１０，１０Ａ…スライド扉脱輪防止構造、１１…スライド扉、１１ａ…左スライド扉、１１ｂ…右スライド扉、１２…スライド扉の上端部、１３…戸車、３０…上側ストッパ、４０…下側ストッパ、５０…規制部材
【図１】
2016200286.tif 000003
【図２】
2016200286.tif 000004
【図３】
2016200286.tif 000005
【図４】
2016200286.tif 000006
【図５】
2016200286.tif 000007
【図６】
2016200286.tif 000008
【図７】
2016200286.tif 000009
【図８】
2016200286.tif 000010
【図９】
2016200286.tif 000011
【図１０】
2016200286.tif 000012
【図１１】
2016200286.tif 000013
【図１２】
2016200286.tif 000014
【図１３】
2016200286.tif 000015
【図１４】
2016200286.tif 000016